(57)【要約】【課題】室内吸込口をシンプルなフラット形状として天井との一体感を向上させるとともに、室内吹出口と室内吸込口の間にフラットな隔離面を形成してショートサーキットを低減した天井埋込型空気調和機を提供すること【解決手段】本発明に係る天井埋込型空気調和機は、本体２の下面に取り付けられる化粧パネル３において対向する２辺の縁部に沿って形成された少なくとも一対の室内吹出口１２と、室内吹出口１２との間にフラットな隔離面３ｃを介在させて室内吹出口１２間の中央部に形成された室内吸込口１１と、室内吸込口１１に設けられたフラットな表面部を有する開閉蓋１３と、この開閉蓋１３を駆動する駆動装置とを有する。そして、開閉蓋１３は、運転停止時は開閉蓋１３のフラットな表面部で室内吸込口１１を閉鎖し、運転時は上方に移動して室内吸込口１１を開放するように、駆動装置により駆動される。【選択図】図４
2007303799.tif 000002
【特許請求の範囲】
【請求項１】
天井開口の上方天井裏に設置される本体と、天井開口を覆うように本体下面に取り付けられる化粧パネルと、化粧パネルにおいて、対向する２辺の縁部に沿って形成された少なくとも一対の室内吹出口と、化粧パネルにおいて、室内吹出口との間にフラットな隔離面を介在して、室内吹出口間の中央部に形成された室内吸込口と、室内吸込口に設けられたフラットな表面部を有する開閉蓋と、この開閉蓋を開閉駆動する駆動装置とを有し、前記開閉蓋は、運転停止時はフラットな表面部で室内吸込口を閉鎖し、運転時は上方に移動して室内吸込口を開放するように、前記駆動装置により駆動されることを特徴とする天井埋込型空気調和機。
【請求項２】
前記開閉蓋は、フラットな表面部を有する１枚の平板状パネルから形成されるとともに、運転停止時は平板状パネルを水平状態にしてフラットな表面部で室内吸込口を閉鎖し、運転時は平板状パネルを水平状態のまま上方に移動して室内吸込口を開放するように、前記駆動装置により駆動されることを特徴とする請求項１記載の天井埋込型空気調和機。
【請求項３】
前記開閉蓋は、フラットな表面部を有する同一四辺形の２枚の平板状パネルからなるとともに、運転停止時は両平板状パネルの端面同士を突き合わせた状態のフラットな表面部で室内吸込口を閉鎖し、運転時は、前記突き合わされる端面を挟んで対向する両端面を上方に移動してＶ字状状態として室内吸込口を開放するように、前記駆動装置により駆動されることを特徴とする請求項１記載の天井埋込型空気調和機。
【請求項４】
前記開閉蓋は、平板状パネルの上面に吸音材が貼付されていることを特徴とする請求項２又は３記載の天井埋込型空気調和機。
【請求項５】
前記室内吹出口に設けられた、フラットな表面部を有する風向板と、この風向板を回動する回動装置とを有し、前記風向板は、運転停止時にフラットな表面部で室内吹出口を閉鎖し、運転時には吹出空気を所定の方向にガイドするように、前記回動装置により回動されることを特徴とする請求項１〜４の何れか１項に記載の天井埋込型空気調和機。
【発明の詳細な説明】
【技術分野】
【０００１】
本発明は、天井埋込型空気調和機に関し、特に、天井埋込型空気調和機の化粧パネルの構成に関する。
【背景技術】
【０００２】
天井埋込型空気調和機は、一般に、天井開口から挿入されて天井裏に取り付けられる本体と、天井開口を覆うように天井開口に嵌め込まれて本体の下面に取り付けられる化粧パネルとから構成されている。また、天井埋込型空気調和機としては、４方向吹出形のものや２方向吹出形のものが多く使用されている。４方向吹出形のものでは、例えば特許文献１に記載されているように、本体は、平面視略正方形の箱型を成し、内部に送風機、熱交換器などが収納されている。また、化粧パネルは、平面視略正方形を成すとともに、天井からの突出寸法が小さくなるように形成されるとともに、四辺の縁部に沿って室内吹出口が形成され、さらに、中央部に室内吸込口が形成されている。そして、室内吸込口には、空気通過孔を形成するために格子状の非開閉式のグリル構造が形成され、室内吹出口には、風向を変更するための風向板が回動自在に取り付けられている。
【０００３】
また、２方向吹出形のものでは、例えば非特許文献１に２方向ダブルフロータイプとして記載されているように、化粧パネルにおける対向する２辺の長手方向の縁部に沿って二つの室内吹出口が形成され、さらに、この室内吹出口に隣接して室内吸込口が形成されていた。また、室内吸込口間の中央部は、フラットな面に形成されていた。
【特許文献１】特開平１１−２３７１１０号公報
【非特許文献１】「ダイキン店舗／オフィスエアコンスカイエア総合カタログ」、ダイキン工業株式会社、２００６年３月、ｐ．３９、５８
【発明の開示】
【発明が解決しようとする課題】
【０００４】
しかしながら、特許文献１の４方向吹出形の天井埋込型空気調和機では、室内吸込口が非開閉式のグリル構造をなし装飾的に取り扱われているため、室内吸込口の存在が目立ち天井との一体性に欠けるという問題があった。また、グリル構造を構成する構成部材の占める面積を差し引いた実質の吸込み面積を確保するために室内吸込口が大きくなり、室内吸込口と室内吹出口との間の寸法が小さくなっていた。このため、室内吹出口と室内吸込口との間のショートサーキットが生じ易いという問題があった。また、非特許文献１の２方向吹出形（２方向ダブルフロータイプ）の天井埋込型空気調和機では、天井との一体感を出すために室内吸込口の間の化粧パネルの中央部がフラットな平面に形成されているが、室内吸込口が室内吹出口に隣接して形成されているため吹出空気のショートサーキットが問題であった。
【０００５】
本発明は、従来技術に存在するこのような問題点に着目してなされたものである。その目的は、室内吸込口をシンプルなフラット形状として天井との一体感を向上させるとともに、室内吹出口と室内吸込口の間にフラットな隔離面を形成してショートサーキットを低減した天井埋込型空気調和機を提供することにある。
【課題を解決するための手段】
【０００６】
上記課題を解決する本発明に係る天井埋込型空気調和機は、天井開口の上方天井裏に設置される本体と、天井開口を覆うように本体下面に取り付けられる化粧パネルと、化粧パネルにおいて、対向する２辺の縁部に沿って形成された少なくとも一対の室内吹出口と、化粧パネルにおいて、室内吹出口との間にフラットな隔離面を介在して、室内吹出口間の中央部に形成された室内吸込口と、室内吸込口に設けられたフラットな表面部を有する開閉蓋と、この開閉蓋を開閉駆動する駆動装置とを有する。そして、前記開閉蓋は、運転停止時はフラットな表面部で室内吸込口を閉鎖し、運転時は上方に移動して室内吸込口を開放するように、前記駆動装置により駆動される。
【０００７】
このように構成された本発明に係る空気調和機によれば、化粧パネルにおいて室内吹出口と室内吸込口との間にフラットな隔離面が形成されているので、室内吹出口と室内吸込口との間のショートサーキットが低減される。特に、この空気調和機においては、室内吸込口に非開閉式のグリル構造が形成されていないので、非開閉式のグリル構造を有する従来の室内吸込口と比較すると、開口面積を同一とした場合に室内吸込口の大きさを小さくすることができる。したがって、室内吸込口を小さくすることができる分、室内吹出口と室内吸込口との間の隔離面を大きくすることができ、室内吹出口と室内吸込口との間のショ−トサーキットをより効果的に低減することができる。また、運転停止時、室内吸込口と、室内吹出口と室内吸込口との間に形成されるフラットな隔離面とが連続して、広い面積のシンプルなフラット面が形成されるので、天井との一体感を向上させることができる。また、運転時においても、開閉蓋が機外にはみ出さないように機内で移動するので、シンプルなフラット感が維持される。
【０００８】
また、このように構成される空気調和機において、前記開閉蓋は、フラットな表面部を有する１枚の平板状パネルから形成されるとともに、運転停止時は平板状パネルを水平状態にしてフラットな表面部で室内吸込口を閉鎖し、運転時は平板状パネルを水平状態のまま上方に移動して室内吸込口を開放するように、前記駆動装置により駆動される構成としてもよい。このように構成されている空気調和機の化粧パネルは、運転停止時の閉鎖状態においては、室内吸込口周りにはその輪郭を形成する隙間が直線状に見えるだけのシンプルなフラット構造となるので、天井との一体感を向上させることができる。
【０００９】
また、上記構成に代わり、前記開閉蓋は、フラットな表面部を有する同一四辺形の２枚の平板状パネルからなるとともに、運転停止時は両平板状パネルの端面同士を突き合わせた状態のフラットな表面部で室内吸込口を閉鎖し、運転時は、前記突き合わされる端面を挟んで対向する両端面を上方に移動してＶ字状状態として室内吸込口を開放するように、前記駆動装置により駆動される構成としてもよい。このように構成されている空気調和機の化粧パネルは、運転停止時、室内吸込口周りにはその輪郭を形成する隙間と、突き合わされる端面間の隙間が直線状に見えるだけのシンプルなフラット構造となるので、天井との一体感を向上させることができるとともに、運転中に室内吸込口から機内の機械構造部材を目立ち難くするので、運転中のデザインを向上させることができる。
【００１０】
また、上記構成の空気調和機において、開閉蓋を構成する平板状パネルの上面に吸音材を貼付してもよい。このようにすると、運転中送風機の運転音が平板状パネルの吸音材に吸音されるので、空気調和機の運転音が小さくなる。因みに、従来の４方向吹出形の空気調和機では、送風機の直下に非開閉式のグリル構造を有する室内吸込口が配置されるため、このグリル構造の開口部から送風機の運転音が直接室内に伝播され、運転音が大きくなっていた。
【００１１】
また、このように構成された空気調和機において、室内吹出口に設けられた風向板と、この風向板を回動する回動装置とをさらに設け、前記風向板は、運転停止時にフラットな表面部で室内吹出口を閉鎖し、運転時には回動して吹出空気を所定の方向にガイドするように、前記回動装置により回動される構成としたものでもよい。このように構成すれば、運転停止時には化粧パネル全体が平面部で形成されるので、シンプルなフラット構造として天井との一体感をより向上させることができる。
【発明の効果】
【００１２】
本発明に係る空気調和機によれば、シンプルなフラット構造として天井との一体感を向上させることができるとともに、室内吹出口と室内吸込口とのショ−トサーキットを抑制することができる。
【発明を実施するための最良の形態】
【００１３】
（実施の形態１）
以下、本実施の形態に係る空気調和機について、図１〜図５に基づき説明する。
ここで、図１は、本発明の実施の形態１に係る２方向吹出形の天井埋込型空気調和機の運転停止時の外観斜視図である。図２は、同空気調和機の運転時の外観斜視図である。図３は、同空気調和機の運転停止時の側断面図（図１のＡ−Ａ断面図）である。図４は、同空気調和機の運転時の側断面図（図２のＢ−Ｂ断面図）である。また、図５には、開閉蓋の駆動装置の斜視図を示す。
【００１４】
本発明に係る空気調和機は、図１〜図４に示すように、２方向吹出形の天井埋込型空気調和機であって、天井開口１の上方に設置される本体２と、天井開口１に嵌め込まれて、天井開口１を覆うように本体２の下面に取り付けられる化粧パネル３とを備えている。
【００１５】
本体２は、図３及び図４に示すように、平面視長方形の箱形状を成すとともに、空調対象室Ｒの天井４に形成された天井開口１から天井裏に挿入されて、天井裏に取り付けられている。本体２内の短辺方向中央部には、送風機（室内用ファン）としてのターボファン５が配置され（この配置については図示を省略する）、ターボファン５を挟んで短辺方向の両側に、長手方向に延びる室内側熱交換器６が配置されている。なお、ターボファン５は、空気調和機の能力に対応して１台又は複数台使用されるが、複数台の場合は本体２の長手方向に配置される（この実施の形態は、２台の場合である）。また、ターボファン５は、図３及び図４に示すように、化粧パネル３の短辺方向の中央部に設けられた室内吸込口１１を通じて空調対象室Ｒ内の空気を本体２内に吸入して外周方向に吐出するように、回転軸を上下方向とし、ターボファン５の吸入口を成すベルマウス７を下方に配置するように取り付けられている。また、ターボファン５のベルマウス７の下方にはエアーフィルタ８が取り付けられている。
【００１６】
化粧パネル３は、図３及び図４に示すように平面視長方形の平坦な形状であって上面側に、端面処理として縁部に小さな立上片３ａを備えているとともに、さらに、天井開口１に嵌め込むための小さな立上片３ｂを備えている。また、化粧パネル３には、図１及び図２に示すように、対向する長手方向に延びる縁部に沿って一対の長孔形状の室内吹出口１２が形成されている。また、この室内吹出口１２との間にフラットな隔離面３ｃを介在させて短辺方向の中央部に室内吸込口１１が形成されている。室内吸込口１１には、図３及び図４に示すように、下面をフラットな表面部とするとともに、周辺に端面処理として小さな立上片１３ａを設けた、四辺形の１枚の平板状パネルからなる開閉蓋１３が設けられている。この開閉蓋１３は、運転停止時、フラットな表面部が周辺の隔離面３ｃ等の平面部と面一になるように、室内吸込口１１に遊嵌されるとともに、運転時はエアーフィルタ８の少し下方の位置まで水平状態を保持したまま移動するように構成されている。また、開閉蓋１３を構成する平板状パネルの上面には適宜の吸音材（図示せず）が貼り付けられている。
【００１７】
次に、開閉蓋１３を駆動する駆動装置を図３〜図５により説明する。これら図面に示すように、開閉蓋１３の上面には、駆動モータ１４が図３及び図４における左右方向を軸方向として取り付けられている。駆動モータ１４は両軸モータに形成され、その両端にピニオン１５が取り付けられている。一方のモータ軸１４ａにはピニオン１５が直接取り付けられ、他方のモータ軸１４ｂには継手１４ｄを介して軸１４ｃが継ぎ足され、その先端にピニオン１５が取り付けられている。これらピニオン１５は、化粧パネル３の上面に垂設されたラック１８に噛み合わされるものであって、平面視コ字状の枠部材１５ａの側面に挟まれる状態で取り付けられている。枠部材１５ａは、ピニオン１５とラック１８との噛み合わせを確実のものとするものであって、ピニオン１５の側面でモータ軸１４ａ、１４ｃに貫通され、ピニオン１５の側面からラック１８の背面を取り囲む平面視コ字状に形成されている。枠部材１５ａは、このように構成されていることにより、ピニオン１５の回転に伴い、モータ軸１４ａ、１４ｃとともにラック１８に対し上下動することにより、ピニオン１５とラック１８との噛み合い状態を安定化させるように構成されている。なお、このモータ軸１４ａ、１４ｂ、１４ｃは適宜軸受１７により支持されている。また、図５に示すように、このモータ軸１４ａ、１４ｂ、１４ｃと平行を成す両縁部の各中央部には、支持板１９が垂設され、この支持板１９にモータ軸１４ａ、１４ｂ、１４ｃと直交する方向に突出する突起部２０が取り付けられている。この突起部２０には、室内吸込口１１の側方に垂設された円柱棒２１を挟み込むＵ字状溝２０ａが形成されている。
【００１８】
開閉蓋１３を駆動する駆動装置は、このように構成されているので、運転開始に伴って駆動モータ１４が駆動されると、モータ軸１４ａ、１４ｂ、１４ｃの回転によりピニオン１５が回転する。ピニオン１５は回転に伴いラック１８上を上方に移動するため、開閉蓋１３が上方に移動される。このとき、開閉蓋１３は、Ｕ字状溝２０ａが円柱棒２１を挟み込む状態なっているため、回転や傾斜が阻止され、水平状態を保持した状態で、エアーフィルタ８の下方の所定位置まで移動する。したがって、上記円柱棒２１及び突起部２０は、開閉蓋１３の上下移動を円滑に進めるためのガイドとして機能している。
【００１９】
一方、各室内吹出口１２には、風向板２５と、この風向板２５を回動するモータなどの回動装置が設けられている。風向板２５は、運転停止時、図３のように室内吹出口１２をフラットな表面部で閉鎖するとともに、運転時、図４のように室内吹出口１２から吹き出される吹出気流を使用者の選択する方向に案内するものである。風向板２５の形状は、このような機能を持っているものであれば、平板状やエアフォイル状など適宜の形状のものでよいが、この実施の形態では、平板状である。各風向板２５は、室内吹出口１２の長手方向の両端部で、風向板２５の回転軸２６が支持されている。また、各風向板２５を回動する回動装置としては、小型のモータが各室内吹出口１２の側部に取り付けられ（図示せず）、各風向板２５の回転軸２６の一端に連結されている。
【００２０】
本実施の形態に係る空気調和機の動作について説明する。
空気調和機の運転停止時は、ターボファン５が運転されていないので、図１及び図３に示すように、室内吹出口１２が風向板２５により閉鎖状態とされる。このとき風向板２５は、フラットな表面部が室内吹出口１２周辺の隔離面３ｃ等の平面部と同一面を成すように移動されている。また、室内吸込口１１の開閉蓋１３も閉鎖状態とされている。このとき開閉蓋１３は、フラットな表面部が室内吹出口１２周辺の隔離面３ｃ等の平面部と同一面を成すように下降し、室内吸込口１１に遊嵌された状態となっている。このように運転停止時は室内吹出口１２及び室内吸込口１１が開口せずフラットな面に形成されているので、化粧パネル３は極めてシンプルなフラット構造をなしている。
【００２１】
次に、空気調和機の運転時は、ターボファン５が運転され、図２及び図４に矢印で示すように通風させる送風運転が行われる。また、図示しない室外ユニットが運転され室内側熱交換器６により室内空気の温度調整が行われる。このとき、室内吹出口１２では、回動装置（図示せず）の駆動により風向板２５が所望の位置に回動され、吹出気流が使用者の好みの方向に吹き出される。また、室内吸込口１１では、開閉蓋１３が駆動モータ１４の駆動により、ピニオン１５がラック１８上を回動することにより、所定の上方位置、すなわちエアーフィルタ８の少し下方の位置に移動させられる。また、開閉蓋１３は、閉鎖位置（図３の状態）から開放位置（図４の状態）への移動に際しては、開閉蓋１３の、ピニオン１５が取り付けられている辺と直角を成す辺で、突起部２０のＵ字状溝２０ａが円柱棒２１に案内されるので、回転したり傾斜したりすることがなく円滑に移動させられる。
【００２２】
このような運転状態において、空気調和機の運転が停止されると、室内吹出口１２の風向板２５が回動装置の駆動により閉鎖状態に復帰するように回動される。また、室内吸込口１１の開閉蓋１３も、駆動モータ１４の駆動により閉鎖状態に復帰するように移動される。
【００２３】
実施の形態１の空調機は、以上のように構成されているので、次のような効果を奏することができる。
（１）化粧パネル３において室内吹出口１２と室内吸込口１１との間にフラットな隔離面３ｃが形成されているので、室内吹出口１２と室内吸込口１１との間のショートサーキットが低減される。
【００２４】
（２）室内吸込口１１に非開閉式のグリル構造が形成されていないので、非開閉式のグリル構造を有する従来の室内吸込口と比較すると、開口面積を同一とした場合に室内吸込口１１の大きさを小さくすることができる。したがって、室内吸込口１１を小さくすることができる分、室内吹出口１２と室内吸込口１１との間の隔離面３ｃを大きくすることができ、室内吹出口１２と室内吸込口１１との間のショ−トサーキットをより効果的に低減することができる。
【００２５】
（３）運転停止時、室内吸込口１１と、室内吹出口１２と室内吸込口１１との間に形成されるフラットな隔離面３ｃとが連続して、広い面積のシンプルなフラット面が形成されるので、天井４との一体感を向上させることができる。
【００２６】
（４）開閉蓋１３は、フラットな表面部を有する１枚の平板状パネルから形成されるとともに、運転停止時は平板状パネルを水平状態にしてフラットな表面部で室内吸込口１１を閉鎖するので、室内吸込口１１周りにはその輪郭線のみが形成される模様となる。したがって、極めてシンプルなフラット構造として天井４との一体感をより向上させることができる。
【００２７】
（５）また、開閉蓋１３は、開放の際、機内上方に移動されるように構成されているので、開閉蓋１３が化粧パネル３の下方に突出するようなことがない。例えば、開閉蓋１３を開放する構成として化粧パネル３の下方に下降させる方法も考えられるが、この場合は運転時の体裁が悪くなるという問題がある。これに対して、本実施の形態の場合にはこのような問題がない。
【００２８】
（６）また、開閉蓋１３を構成する平板状パネルの上面に吸音材（図示せず）が貼り付けられているので、運転中送風機としてのターボファン５の運転音が平板状パネルの吸音材に吸音される。この結果、空気調和機の運転音が小さくなる。
【００２９】
（実施の形態２）
本発明に係る室内吸込口の開閉蓋は、機内で上方に移動させることにより室内吸込口を開放し、下方に移動した状態でフラットな表面部で室内吸込口を閉鎖するものであればよく、図６〜図９に示すような開閉蓋及び駆動装置にすることもできる。図６は、実施の形態２に係る２方向吹出形の天井埋込型空気調和機の運転停止時の外観斜視図である。図７は、同空気調和機の運転時の外観斜視図である。図８は、同空気調和機の運転停止時の側断面図（図６のＣ−Ｃ断面図）である。図９は、同空気調和機の運転時の側断面図（図７のＤ−Ｄ断面図）である。なお、これら図において、実施の形態１と同一の要素には同一の符号を付し、その説明を省略する。
【００３０】
実施の形態２は、実施の形態１に比し開閉蓋３１及び駆動装置を変更したものであり、開閉蓋３１は、フラットな表面部を有する長方形を２分割した同一形状の四辺形（長方形）の２枚の平板状パネル３２からなる。そして、この平板状パネル３２は、運転停止時、図６及び図８に示すように、端面３２ａ同士を突き合わせた状態とし、このように付き合わせ状態により２枚の平板状パネル３２から構成される長方形のフラットな表面部で室内吸込口１１を閉鎖している。また、この平板状パネル３２は、運転時、突き合わせられる端面３２ａを挟んで対向する両側の端面３２ａを上方に移動し、Ｖ字状に変形させて室内吸込口１１を開放するようにしている。
【００３１】
このように開閉蓋３１を駆動する駆動装置の概略を、図８及び図９に示す。同一四辺形の２枚の平板状パネル３２は、突き合わされる端面３２ａの両端部が室内吸込口１１の立上片３ａで、上下に移動しないで回動自在となるように軸支されている（なお、この点については図示していない）。そして、突き合わされる端面３２ａの上方に取り付けられているエアーフィルタ８の中央部には孔部８ａが形成され、その下方に、図８及び図９の紙面において前後方向に室内吸込口１１を渡る橋脚状のモータ支持部材３３が設けられている。モータ支持部材３３の中央部上面には、小型モータ３４がモータ軸３５を下方に突出させる状態で取り付けられている。小型モータ３４のモータ軸３５は、前述のモータ支持部材３３に設けられた孔部を貫通して平板状パネル３２近くの上部位置まで延設されている。
【００３２】
小型モータ３４のモータ軸３５には雄ねじが形成されている。そして、この雄ねじに螺合する雌ねじが内部に形成された円筒状部材３６がモータ軸３５に螺合している。円筒状部材３６は、両平板状パネル３２に対し、アーム３７により連結されている。このアーム３７は、円筒状部材３６及び２枚の平板状パネル３２に対し、それぞれ回動自在に連結されている。
【００３３】
このように構成された、実施の形態２における駆動装置により開閉蓋３１は次のように駆動される。先ず、運転停止時について述べる。図８に示すように、小型モータ３４の駆動により、モータ軸３５が回転し、アーム３７により開閉蓋３１に連結している円筒状部材３６が下方に移動する。円筒状部材３６は、アーム３７が略水平となる状態まで下方に移動される。この結果、２枚の平板状パネル３２は、対向する端面３２ａ同士が突き合わされ、２枚の長方形の平板状パネル３２により長方形のフラットな表面部が形成され、この平面部で室内吸込口１１が閉鎖される。一方、運転時は、図９に示すように、小型モータ３４を運転停止時とは逆方向に回転させることにより、円筒状部材３６が上方に引き上げられ、これに伴いアーム３７が斜めに位置し、両平板状パネル３２の中央部が同時に引き上げられる。この結果、２枚の平板状パネル３２は、突き合わされる端面３２ａが移動しないので、端面３２ａを下方位置としてＶ字状に開かれる。
【００３４】
実施の形態２に係る空気調和機は、以上のような開閉蓋３１及び駆動装置を備えているので、運転停止時、室内吸込口１１周りにはその輪郭を形成する隙間と、突き合わされる端面３２ａ間の隙間が直線状に見えるだけのシンプルなフラット構造となる。したがって、実施の形態１よりは隙間線が１本増えるが、従来のものに比し格段にシンプルなフラット構造となり、天井４との一体感を向上させることができる。また、運転中は、Ｖ字状の開放状態となるので、実施の形態１の場合より、室内吸込口１１から機内の機械構造部材を目立ち難くすることができて、運転中の空気調和機のデザインを向上させることができる。
【００３５】
（変形例）
実施の形態１及び実施の形態２は２方向吹出形の天井埋込型空気調和機についての例を示したが、これらの室内吸込口及び室内吹出口の構造を、４方向吹出形の天井埋込型空気調和機に適用することもできる。図１０及び図１１は、実施の形態１の変形例としての４方向吹出形の天井埋込型空気調和機である。図１０は、同空気調和機の運転停止時の外観斜視図であり、図１２は同空気調和機の運転時の外観斜視図である。なお、これら図において、実施の形態１に対応する部分には同一の符号を付す。
【００３６】
これら図に示されるように、室内吹出口１２は４辺の縁部に沿って形成され、室内吸込口１１が中央部に形成され、室内吹出口１２と室内吸込口１１との間にはフラットな隔離面３ｃが形成されている。すなわち、この変形例では、化粧パネル３において、対向する２辺の縁部に沿って形成される室内吹出口１２が２対存在し、この２対の室内吹出口１２それぞれに対しフラットな隔離面３ｃを介在させるとともに、室内吹出口１２の中央部に室内吸込口１１が形成されている。また、室内吸込口１１の開閉蓋１３は、実施の形態１と同様の機構により開閉されている。実施の形態１と同様の効果を奏することができる。
【００３７】
また、図１２及び図１３は、実施の形態２の変形例としての４方向吹出形の天井埋込型空気調和機である。なお、これら図において、実施の形態２に対応する部分には同一の符号を付す。図１２は、同空気調和機の運転停止時の外観斜視図であり、図１３は同空気調和機の運転時の外観斜視図である。
【００３８】
これら図に示されるように、室内吹出口１２は四辺の縁部に沿って形成され、室内吸込口１１が中央部に形成され、室内吹出口１２と室内吸込口１１との間にはフラットな隔離面３ｃが形成されている。すなわち、この変形例では、化粧パネル３において、対向する２辺の縁部に沿って形成される室内吹出口１２が２対存在し、この２対の室内吹出口１２それぞれに対しフラットな隔離面３ｃを介在させるとともに、室内吹出口１２の中央部に室内吸込口１１が形成されている。また、室内吸込口１１の開閉蓋３１は、実施の形態２と同様に、２枚の平板状パネル３２を開閉するものである。したがって、この変形例は実施の形態２と同様の効果を奏することができる。
【００３９】
また、前述の実施の形態１及び２において、送風機としてターボファン５に代えてシロッコファン、斜流ファンなど他の形式のファンを用いてもよく、この場合においても実施の形態１及び２と同様の作用効果を奏することができる。
【産業上の利用可能性】
【００４０】
本発明は、家庭用及び事務所、飲食店などの業務用の空気調和機として有用である。
【図面の簡単な説明】
【００４１】
【図１】本発明の実施の形態１に係る２方向吹出形の天井埋込型空気調和機の運転停止時の外観斜視図である。
【図２】同空気調和機の運転時の外観斜視図である。
【図３】同空気調和機の運転停止時の側断面図である。
【図４】同空気調和機の運転時の側断面図である。
【図５】同空気調和機における開閉蓋駆動装置の斜視図である。
【図６】本発明の実施の形態２に係る２方向吹出形の天井埋込型空気調和機の運転停止時の外観斜視図である。
【図７】同空気調和機の運転時の外観斜視図である。
【図８】同空気調和機の運転停止時の側断面図である。
【図９】同空気調和機の運転時の側断面図である。
【図１０】実施の形態１の変形例に係る４方向吹出形の天井埋込型空気調和機の運転停止時の外観斜視図である。
【図１１】同空気調和機の運転時の外観斜視図である。
【図１２】実施の形態２の変形例に係る４方向吹出形の天井埋込型空気調和機の運転停止時の外観斜視図である。
【図１３】同空気調和機の運転時の外観斜視図である。
【符号の説明】
【００４２】
１…天井開口、２…本体、３…化粧パネル、３ｃ…隔離面、１１…室内吸込口、１２…室内吹出口、１３、３１…開閉蓋、２５…風向板、３２…平板状パネル、３２ａ…端面。
【図１】
2007303799.tif 000003
【図２】
2007303799.tif 000004
【図３】
2007303799.tif 000005
【図４】
2007303799.tif 000006
【図５】
2007303799.tif 000007
【図６】
2007303799.tif 000008
【図７】
2007303799.tif 000009
【図８】
2007303799.tif 000010
【図９】
2007303799.tif 000011
【図１０】
2007303799.tif 000012
【図１１】
2007303799.tif 000013
【図１２】
2007303799.tif 000014
【図１３】
2007303799.tif 000015